(57)【特許請求の範囲】
【請求項１】
個数基準による粒子分布の１．０〜２．０μｍの間にピークまたは極大値があり、かつ１．０〜２．０μｍのトナー粒子の割合が全トナー質量に対し０．１〜５．０質量％であり、全トナー粒子の個数平均粒径が３．０〜６．５μｍであることを特徴とする静電潜像現像用トナー。
【請求項２】
トナー粒子の形状係数ＳＦ−２が１００〜１５０であることを特徴とする請求項１に記載の静電潜像現像用トナー。
【請求項３】
静電潜像現像用トナーが溶媒中で撹拌される工程、該溶媒から分離・乾燥される工程を経て造られたことを特徴とする請求項１に記載の静電潜像現像用トナー。
【請求項４】
請求項１〜３のいずれか１項に記載の静電潜像現像用トナーを製造するために、トナーを溶媒中で撹拌する工程、該溶媒から分離・乾燥する工程を有することを特徴とする静電潜像現像用トナーの製造方法。
【請求項５】
静電潜像担持体上に静電潜像を形成する工程、静電潜像現像用トナーを含む現像剤で該静電潜像を現像してトナー画像を形成する工程、及びトナー画像を転写体上に転写する工程を含む画像形成方法において、該静電潜像現像用トナーとして請求項１〜３のいずれか１項に記載の静電潜像現像用トナーを用いることを特徴とする画像形成方法。
【発明の詳細な説明】
【０００１】
【発明の属する技術分野】
本発明は、複写機、プリンター等に用いられる静電潜像現像用トナー（単にトナーということがある）とその製造方法及び該トナーを用いる画像形成方法に関するものである。
【０００２】
【従来の技術】
近年、高速で高画質を要求される画像形成装置においては、殆ど電子写真方式等の静電潜像現像法が用いられている。この方法における最大のテーマの一つは、更なる高画質化であり、現在でも多くの技術開発がなされている。
【０００３】
高画質化の手段として最も有効なものは、トナー粒子を小径にすることである。それ故、従来用いられていたものより、トナー粒径が小さく、下記の理由からその粒子分布も揃ったものが用いられるようになり、高画質化はおおいに進展してきた。
【０００４】
例えば、従来は高画質画像をねらったものでも、トナーの平均粒径は数平均粒径で９〜１１μｍ程度のものが用いられていたが、最近では数平均粒径が３．０〜６．５μｍのものが用いられつつある。
【０００５】
この場合、その粒径分布を揃えないと、混在している大粒径トナー粒子では画像あれが起こり、また、混在微粒子トナーにより、トナー飛散等を起こす。このため、画質劣化は勿論、環境問題等をも引き起こす要因となると考えられ、極力トナー粒径や外部形状を揃える努力がなされてきた。
【０００６】
【発明が解決しようとする課題】
上記の如く、画質向上の努力により画質自体の改善は著しいものがあり、その主な手段は、トナー粒径を小さくし、しかも粒子分布と形状を揃えることである。しかし、発明者等の検討によれば、これにより問題が全く解決したわけでないことが判明した。
【０００７】
とりわけ、静電潜像形成体（殆どの場合電子写真感光体、単に感光体ということもある）上に形成されたトナー像を転写材（転写紙等）に転写する工程での転写率の問題や、この時転写されずに感光体上に残留したトナーをクリーニングする工程において、クリーニング不良を起こす傾向がなお残り、その充分な解決策は見出されていないのが現状である。
【０００８】
本発明は、上記の状況に鑑み成されたものである。
即ち、本発明の目的は、上記問題を解決し、小粒径トナーを用いて高画質画像を得、かつ、トナーの転写率が高く、クリーニング不良を起こさない静電潜像現像用トナーとその製造方法及び画像形成方法を提供することにある。
【０００９】
【課題を解決するための手段】
従来トナーの粒子分布において、微粉とされる特に２．０μｍ以下の微粒子は画像形成装置内のトナー汚染などの点から、存在しないことが好ましいと考えられてきた。しかしながら、本発明の発明者等が検討した結果では、数平均粒径１．０〜２．０μｍの微粒子（これを微粒子トナーと言うことがある）であり、トナーと同組成の粒子がトナー中に規定量存在することにより、転写材への転写性、感光体上のクリーニング性が向上することを見いだし、本発明に至った。
【００１０】
即ち、本発明者等は、鋭意検討した結果、本発明の目的は下記いずれかの構成をとることにより達成されることを見いだした。
【００１１】
〔１〕  個数基準による粒子分布の１．０〜２．０μｍの間にピークまたは極大値があり、かつ１．０〜２．０μｍのトナー粒子の割合が全トナー質量に対し０．１〜５．０質量％であり、全トナー粒子の個数平均粒径が３．０〜６．５μｍであることを特徴とする静電潜像現像用トナー。
【００１２】
〔２〕  トナー粒子の形状係数ＳＦ−２が１００〜１５０であることを特徴とする〔１〕に記載の静電潜像現像用トナー。
【００１３】
〔３〕  静電潜像現像用トナーが溶媒中で撹拌される工程、該溶媒から分離・乾燥される工程を経て造られたことを特徴とする〔１〕に記載の静電潜像現像用トナー。
【００１４】
〔４〕  〔１〕〜〔３〕のいずれか１項に記載の静電潜像現像用トナーを製造するために、トナーを溶媒中で撹拌する工程、該溶媒から分離・乾燥する工程を有することを特徴とする静電潜像現像用トナーの製造方法。
【００１５】
〔５〕  静電潜像担持体上に静電潜像を形成する工程、静電潜像現像用トナーを含む現像剤で該静電潜像を現像してトナー画像を形成する工程、及びトナー画像を転写体上に転写する工程を含む画像形成方法において、該静電潜像現像用トナーとして〔１〕〜〔３〕のいずれか１項に記載の静電潜像現像用トナーを用いることを特徴とする画像形成方法。
【００１６】
本発明の効果が得られる理由については、特に解明されているわけではないが、次のように考えられる。
【００１７】
微粒子トナーが画像形成トナーと同組成であるということは、帯電時に極性がトナーと同じになり、トナー表面への帯電付着を生じない。このため、転写性、クリーニング性に有効に働くことができる。トナーと組成が異なる場合には、極性をもつため微粉はトナー表面に付着してしまい、感光体上に残留することができずに、トナーとともに転写されてしまって上記の効果を発揮することができない。
【００１８】
本発明において、数平均粒径が１．０〜２．０μｍの微粒子トナーの混合比率範囲は、全トナー量に対し０．１〜５質量％、好ましくは０．３〜２質量％の範囲がよい。
【００１９】
数平均粒径１．０〜２．０μｍの微粒子トナーがトナーの組成と同じであるとは、少なくともバインダー樹脂、着色剤のいずれかの化学構造が双方とも共通しており、荷電制御剤、離型剤が含まれている場合はその化学構造が双方共通であり、それらの全体の質量に対する各成分の質量比がほぼ同じものは勿論、これらに差異があっても、帯電時に極性が微粒子トナーとより大粒径の主成分トナーと同じものをいう。
【００２０】
又、例えば、有機・無機の外添剤粒子等、トナーと明らかに異なる組成のものが添加されている場合でも、粒径が１．０〜２．０μｍの範囲内においては、３０質量％以内とする。なお、トナーの外添剤として用いられるような無機微粒子、有機微粒子としては、特に構造等が限定されるものではなく、公知のものを用いることが出来る。
【００２１】
更に、粒径が１．０〜２．０μｍの範囲内にピークまたは極大値があるとは、トナーの粒子分布曲線を描いた時に、この領域に明確にその周辺より高い部分が存在するという意味である。この場合、周囲より高い部分が、鋭く尖った形状を有したスペクトル図を示すもの（ピーク）だけではなく、スペクトル図はなだらかな形状ではあるが、なお、周囲よりは高い部分（極大値）が有る場合の、その何れでも本発明内であることを明確にするためにピーク又は極大値と記した。いうまでもなく、ピークまたは極大値はその頂上が、粒径１．０〜２．０μｍの範囲内にあればよい。
【００２２】
通常のトナーの粒子分布曲線は、平均粒径付近（分布の中央部）に最高部があり、それから粒径が離れるに従って低くなっている。しかし、本発明のトナーの粒子分布曲線は、粒径が１．０〜２．０μｍの範囲内に明かなピークまたは極大値があるのが特徴であり、これを模式的に示したのが図１である。
【００２３】
本発明においては高画質画像を得ることが前提であり、前記したとおり、そのためにはトナーは小粒径であることが大前提である。具体的には、トナーの粒径は、個数平均粒径で３．０〜６．５μｍである必要がある。個数平均粒径が３．０μｍより小さいと、トナー飛散等により画質や環境への悪影響が出る。また、６．５μｍより大きいと、画質、即ち解像度、鮮鋭性等の性能が悪化してくる。
【００２４】
又、トナーの形状は揃っていることが好ましく、具体的には形状係数ＳＦ−２の範囲が１００〜１５０のものが好ましく、より好ましくは１０５〜１３０であることが望ましい。
【００２５】
なお、形状係数ＳＦ−２は、下記式により算出される値である。
形状係数ＳＦ−２
＝（（トナー粒子の周長）2×１００）／（（トナー粒子の投影面積）×４π）
本発明において、トナーの数平均粒径や粒子分布は、シースフロー電気抵抗法であるＳＤ−２０００（シスメックス社製）を用いて、下記の条件にて測定した。
【００２６】
0003888201.tif 000002
【００２７】
【発明の実施の形態】
次に、本発明に用いられるトナーの製造方法、画像形成方法等について更に説明する。
【００２８】
〔１〕トナーの製造方法
次に本発明に用いられるトナーの製造方法について説明する。
【００２９】
１．トナーの製造方法
本発明のトナーの製造方法については、特に限定はない。しかし、粉砕・分級工程を伴う粉砕法ではなく、いわゆる重合法で造るのが好ましい。本発明の如き粒子径状の揃った小粒径のトナーを粉砕法で造るのは実際上困難である。
【００３０】
本発明のトナーを造るために重合法が適しているが、例えば懸濁重合法や、単量体を乳化重合、或いはミニエマルジョン重合して微粒の樹脂粒子を作製し、何れかの工程で必要な添加剤の乳化液を加え、その後に、有機溶媒、塩類等の凝集剤等を添加して当該樹脂粒子を凝集、融着する方法で製造することが出来る。
【００３１】
又、特開平７−２８７４１９号公報に記載されているごとき溶液重合法や特開平１１−１５１９１号公報に記載されているごとき溶液分散懸濁法も用いることが出来る。
【００３２】
（１）懸濁重合法
本発明のトナーを製造する方法の一例を示せば、重合性単量体中に荷電制御性樹脂を溶解させ、着色剤や必要に応じて離型剤、さらに重合開始剤等の各種構成材料を添加し、ホモジナイザー、サンドミル、サンドグラインダー或いは超音波分散機等で重合性単量体に各種構成材料を溶解或いは分散させる。この各種構成材料が溶解或いは分散された重合性単量体を分散安定剤を含有した水系媒体中にホモミキサーやホモジナイザー等を使用しトナーとしての所望の大きさの油滴に分散させる。その後、撹拌機構が後述の撹拌翼である反応装置（撹拌装置）へ移し、加熱することで重合反応を進行させる。反応終了後、分散安定剤を除去し、濾過、洗浄し、さらに乾燥することで本発明のトナーを作製する。なお、前記水系媒体とは、少なくとも水が５０質量％以上含有されたものを示す。
【００３３】
（２）乳化重合法
又、本発明のトナーを製造する他の方法としては、樹脂粒子を水系媒体中で塩析、凝集、融着させて作製する方法も挙げることが出来る。この方法としては、特に限定されるものではないが、例えば、特開平５−２６５２５２号公報や特開平６−３２９９４７号公報、特開平９−１５９０４号公報に示す方法を挙げることが出来る。
【００３４】
すなわち、樹脂粒子と着色剤等の構成材料の分散粒子、或いは樹脂および着色剤等より構成される微粒子を複数以上塩析、凝集、融着させる方法、特に水中にてこれらを乳化剤を用いて分散した後に、臨界凝集濃度以上の凝集剤を加え塩析させると同時に、形成された重合体自体のガラス転移点温度以上で加熱融着させて融着粒子を形成しつつ徐々に粒径を成長させ、目的の粒径となったところで水を多量に加えて粒径成長を停止し、さらに加熱、撹拌しながら粒子表面を平滑にして形状を制御し、その粒子を含水状態のまま流動状態で加熱乾燥することにより、本発明のトナーを形成することが出来る。なお、ここにおいて凝集剤と同時にアルコール等水に対して無限溶解する溶媒を加えてもよい。
【００３５】
（３）多段重合法により得られる複合樹脂粒子
乳化重合法等によりトナーを作製する方法の代表例として、多段重合法により得られる複合樹脂粒子の例を示す。複合樹脂粒子の最外層以外の領域に離型剤が含有されているのが好ましい。
【００３６】
トナーの製造工程は、主に、以下に示す工程より構成されている。
１：離型剤が最外層以外の領域（中心部又は中間層）に含有されている複合樹脂粒子を得るための多段重合工程
２：複合樹脂粒子と着色剤粒子とを塩析／融着させてトナー粒子を得る塩析／融着工程
３：トナー粒子の分散系から当該トナー粒子を濾別し、当該トナー粒子から界面活性剤等を除去する濾過・洗浄工程
４：洗浄処理されたトナー粒子を乾燥する乾燥工程、
５：乾燥処理されたトナー粒子に添加剤を添加する工程
から構成される。
【００３７】
以下、各工程について、詳細に説明する。
《多段重合工程》
多段重合工程は、樹脂粒子の表面に、単量体の重合体からなる被覆層を形成する多段重合法により、複合樹脂粒子を製造する工程である。
【００３８】
製造の安定性および得られるトナーの破砕強度の観点から三段重合以上の多段重合法を採用することが好ましい。
【００３９】
以下に、多段重合法の代表例である二段重合法および三段重合法について説明する。
【００４０】
（二段重合法）
二段重合法は、離型剤を含有する高分子量樹脂から形成される中心部（核）と、低分子量樹脂から形成される外層（殻）とにより構成される複合樹脂粒子を製造する方法である。
【００４１】
この方法を具体的に説明すると、先ず、離型剤を単量体に溶解させて単量体溶液を作製し、この単量体溶液を水系媒体（例えば、界面活性剤水溶液）中に油滴分散させた後、この系を重合処理（第１段重合）することにより、離型剤を含む高分子量の樹脂粒子の分散液を作製する。
【００４２】
次いで、この樹脂粒子の分散液に、重合開始剤と低分子量樹脂を得るための単量体Ｌとを添加し、樹脂粒子の存在下で単量体Ｌを重合処理（第２段重合）を行うことにより、樹脂粒子の表面に、低分子量の樹脂（単量体の重合体）からなる被覆層を形成する方法である。
【００４３】
（三段重合法）
三段重合法は、高分子量樹脂から形成される中心部（核）、離型剤を含有する中間層及び低分子量樹脂から形成される外層（殻）とにより構成される複合樹脂粒子を製造する方法である。
【００４４】
この方法を具体的に説明すると、先ず、常法に従った重合処理（第１段重合）により得られた樹脂粒子の分散液を、水系媒体（例えば、界面活性剤の水溶液）に添加するとともに、上記水系媒体中に、離型剤を単量体Ｍに溶解させてなる単量体溶液を油滴分散させた後、この系を重合処理（第２段重合）することにより、樹脂粒子（核粒子）の表面に、離型剤を含有する樹脂（単量体Ｍの重合体）からなる被覆層（中間層）を形成して、複合樹脂粒子（高分子量樹脂−中間分子量樹脂）の分散液を作製する。
【００４５】
次いで、得られた複合樹脂粒子の分散液に、重合開始剤と低分子量樹脂を得るための単量体Ｌとを添加し、複合樹脂粒子の存在下で単量体Ｌを重合処理（第３段重合）することにより、複合樹脂粒子の表面に、低分子量の樹脂（単量体Ｌの重合体）からなる被覆層を形成する。上記方法において、第２段重合を組み入れることにより、離型剤を微細かつ均一に分散することが出来好ましい。
【００４６】
本発明に係るトナーの製造方法においては、重合性単量体を水系媒体中で重合することが１つの特徴である。すなわち、離型剤を含有する樹脂粒子（核粒子）又は被覆層（中間層）を形成する際に、離型剤を単量体に溶解させ、得られる単量体溶液を水系媒体中で油滴分散させ、この系に重合開始剤を添加して重合処理することにより、ラテックス粒子として得る方法である。
【００４７】
本発明でいう水系媒体とは、水５０〜１００質量％と水溶性の有機溶媒０〜５０質量％とからなる媒体をいう。水溶性の有機溶媒としては、例えば、メタノール、エタノール、イソプロパノール、ブタノール、アセトン、メチルエチルケトン、テトラヒドロフラン等を例示することが出来、得られる樹脂を溶解しないアルコール系有機溶媒が好ましい。
【００４８】
離型剤を含有する樹脂粒子又は被覆層を形成するために好適な重合法としては、臨界ミセル濃度以下の濃度の界面活性剤を溶解してなる水系媒体中に、離型剤を単量体に溶解した単量体溶液を、機械的エネルギーを利用して油滴分散させて分散液を作製し、得られた分散液に水溶性重合開始剤を添加して、油滴内でラジカル重合させる方法（以下、本発明では「ミニエマルジョン法」という。）を挙げることが出来る。なお、上記方法において、水溶性重合開始剤に代えて、或いは水溶性重合開始剤と共に、油溶性重合開始剤を用いても良い。
【００４９】
機械的に油滴を形成するミニエマルジョン法によれば、通常の乳化重合法とは異なり、油相に溶解させた離型剤が脱離することがなく、形成される樹脂粒子又は被覆層内に十分な量の離型剤を導入することが出来る。
【００５０】
ここで、機械的エネルギーによる油滴分散を行うための分散機としては、特に限定されるものではなく、例えば、高速回転するローターを備えた撹拌装置「クレアミックス（ＣＬＥＡＲＭＩＸ）」（エム−テクニック社製）、超音波分散機、機械式ホモジナイザー、マントンゴーリンおよび圧力式ホモジナイザー等を挙げることが出来る。又、分散粒子径としては、１０〜１０００ｎｍとされ、好ましくは５０〜１０００ｎｍ、更に好ましくは３０〜３００ｎｍである。
【００５１】
なお、離型剤を含有する樹脂粒子又は被覆層を形成するための他の重合法として、乳化重合法、懸濁重合法、シード重合法等の公知の方法を採用することも出来る。又、これらの重合法は、樹脂粒子を構成する核粒子又は被覆層であって、離型剤を含有しないものを得るためにも採用することが出来る。
【００５２】
この重合工程で得られる樹脂粒子の粒子径は、電気泳動光散乱光度計「ＥＬＳ−８００」（大塚電子社製）を用いて測定される質量平均粒径で１０〜１０００ｎｍの範囲にあることが好ましい。
【００５３】
又、樹脂粒子のガラス転移温度（Ｔｇ）は４８〜７４℃の範囲にあることが好ましく、５２〜６４℃がより好ましい。
【００５４】
又、樹脂粒子の軟化点は９５〜１４０℃の範囲にあることが好ましい。
《塩析／融着工程》
この塩析／融着工程は、前記重合工程によって得られた樹脂粒子と着色剤粒子とを塩析／融着させる（塩析と融着とを同時に起こさせる）ことによって、不定形（非球形）のトナー粒子を得る工程である。
【００５５】
本発明でいう塩析／融着とは、塩析（粒子の凝集）と融着（粒子間の界面消失）とが同時に起こること、又は、塩析と融着とを同時に起こさせる行為をいう。塩析と融着とを同時に行わせるためには、樹脂粒子を構成する樹脂のガラス転移温度（Ｔｇ）以上の温度条件下において粒子（樹脂粒子、着色剤粒子）を凝集させる必要がある。
【００５６】
この塩析／融着工程では、樹脂粒子および着色剤粒子とともに、荷電制御剤等の内添剤粒子（数平均一次粒子径が１０〜１０００ｎｍ程度の微粒子）を塩析／融着させてもよい。又、着色剤粒子は、表面改質されていてもよく、表面改質剤としては、従来公知のものを使用することが出来る。
【００５７】
着色剤粒子は、水性媒体中に分散された状態で塩析／融着処理が施される。着色剤粒子が分散される水性媒体は、臨界ミセル濃度（ＣＭＣ）以上の濃度で界面活性剤が溶解されている水溶液が好ましい。
【００５８】
着色剤粒子の分散処理に使用する分散機は、特に限定されないが、好ましくは、高速回転するローターを備えた撹拌装置「クレアミックス（ＣＬＥＡＲＭＩＸ）」（エム−テクニック社製）、超音波分散機、機械的ホモジナイザー、マントンゴーリン、圧力式ホモジナイザー等の加圧分散機、ゲッツマンミル、ダイヤモンドファインミル等の媒体型分散機が挙げられる。
【００５９】
樹脂粒子と着色剤粒子とを塩析／融着させるためには、樹脂粒子および着色剤粒子が分散している分散液中に、臨界凝集濃度以上の塩析剤（凝集剤）を添加するとともに、この分散液を、樹脂粒子のガラス転移温度（Ｔｇ）以上に加熱することが必要である。
【００６０】
塩析／融着させるために好適な温度範囲としては、（Ｔｇ＋１０℃）〜（Ｔｇ＋５０℃）とされ、より好適な温度範囲は（Ｔｇ＋１５℃）〜（Ｔｇ＋４０℃）とされる。又、融着を効果的に行なわせるために、水に無限溶解する有機溶媒を添加してもよい。
【００６１】
《濾過・洗浄工程》
この濾過・洗浄工程では、上記の工程で得られたトナー粒子の分散系から当該トナー粒子を濾別する濾過処理と、濾別されたトナー粒子（ケーキ状の集合物）から界面活性剤や塩析剤等の付着物を除去する洗浄処理とが施される。
【００６２】
ここに、濾過処理方法としては、遠心分離法、ヌッチェ等を使用して行う減圧濾過法、フィルタープレス等を使用して行う濾過法等特に限定されるものではない。
【００６３】
《乾燥工程》
この乾燥工程は、洗浄処理されたトナー粒子を乾燥処理する工程である。
【００６４】
この工程で使用される乾燥機としては、スプレードライヤー、真空凍結乾燥機、減圧乾燥機等を挙げることが出来、静置棚乾燥機、移動式棚乾燥機、流動層乾燥機、回転式乾燥機、撹拌式乾燥機等を使用することが好ましい。
【００６５】
乾燥処理されたトナー粒子の水分は、５質量％以下であることが好ましく、２質量％以下がより好ましい。
【００６６】
なお、乾燥処理されたトナー粒子同士が、弱い粒子間引力で凝集している場合には、当該凝集体を解砕処理してもよい。解砕処理装置としては、ジェットミル、ヘンシェルミキサー、コーヒーミル、フードプロセッサー等の機械式の解砕装置を使用することが出来る。
【００６７】
（３）外添剤を添加する工程
外添剤を添加する工程は、乾燥処理されたトナー粒子に脂肪酸金属塩、研磨性外添剤及び通常の外添剤（シリカ微粒子等）を添加してトナーを製造する工程である。この工程で使用される製造装置としては、ヘンシェルミキサー、ナウターミキサー等を使用することが好ましい。
【００６８】
本発明のトナーは、着色剤の不存在下において樹脂粒子を形成し、当該複合樹脂粒子の分散液に着色剤粒子の分散液を加え、当該樹脂粒子と着色剤粒子とを塩析／融着させることにより作製されることが好ましい。
【００６９】
このように、樹脂粒子の作製を着色剤の存在しない系で行うことにより、複合樹脂粒子を得るための重合反応が阻害されることがない。このため、本発明のトナーによれば、優れた耐オフセット性が損なわれることはなく、トナーの蓄積による定着装置の汚染や画像汚れを発生させることはない。
【００７０】
又、樹脂粒子を得るための重合反応が確実に行われる結果、得られるトナー粒子中に単量体やオリゴマーが残留するようなことはなく、当該トナーを使用する画像形成方法の熱定着工程において、異臭を発生させることはない。
【００７１】
さらに、得られるトナー粒子の表面特性は均質であり、帯電量分布もシャープとなるため、鮮鋭性に優れた画像を長期にわたり形成することが出来る。このようなトナー粒子間における組成・分子量・表面特性が均質であるトナーによれば、接触加熱方式による定着工程を含む画像形成方法において、画像支持体に対する良好な接着性（高い定着強度）を維持しながら、耐オフセット性および巻き付き防止特性の向上を図ることが出来、適度の光沢を有する画像を得ることが出来る。
【００７２】
次に、トナー製造工程で用いられる各構成因子について、詳細に説明する。
（４）重合性単量体
本発明に用いられる樹脂（バインダ）を造るための重合性単量体としては、疎水性単量体を必須の構成成分とし、必要に応じて架橋性単量体が用いられる。又、下記するごとく酸性極性基を有する単量体又は塩基性極性基を有する単量体を少なくとも１種類含有するのが望ましい。
【００７３】
《疎水性単量体》
単量体成分を構成する疎水性単量体としては、特に限定されるものではなく従来公知の単量体を用いることが出来る。又、要求される特性を満たすように、１種又は２種以上のものを組み合わせて用いることが出来る。
【００７４】
具体的には、モノビニル芳香族系単量体、アクリル酸エステル系単量体、ビニルエステル系単量体、ビニルエーテル系単量体、モノオレフィン系単量体、ジオレフィン系単量体、ハロゲン化オレフィン系単量体等を用いることが出来る。
【００７５】
ビニル芳香族系単量体としては、例えば、スチレン、ｏ−メチルスチレン、ｍ−メチルスチレン、ｐ−メチルスチレン、ｐ−メトキシスチレン、ｐ−フェニルスチレン、ｐ−クロロスチレン、ｐ−エチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、２，４−ジメチルスチレン、３，４−ジクロロスチレン等のスチレン系単量体およびその誘導体が挙げられる。
【００７６】
アクリル系単量体としては、例えば、アクリル酸、メタクリル酸、アクリル酸メチル、アクリル酸エチル、アクリル酸ブチル、アクリル酸−２−エチルヘキシル、アクリル酸シクロヘキシル、アクリル酸フェニル、メタクリル酸メチル、メタクリル酸エチル、メタクリル酸ブチル、メタクリル酸ヘキシル、メタクリル酸−２−エチルヘキシル、β−ヒドロキシアクリル酸エチル、γ−アミノアクリル酸プロピル、メタクリル酸ステアリル、メタクリル酸ジメチルアミノエチル、メタクリル酸ジエチルアミノエチル等が挙げられる。
【００７７】
ビニルエステル系単量体としては、例えば、酢酸ビニル、プロピオン酸ビニル、ベンゾエ酸ビニル等が挙げられる。
【００７８】
ビニルエーテル系単量体としては、例えば、ビニルメチルエーテル、ビニルエチルエーテル、ビニルイソブチルエーテル、ビニルフェニルエーテル等が挙げられる。
【００７９】
モノオレフィン系単量体としては、エチレン、プロピレン、イソブチレン、１−ブテン、１−ペンテン、４−メチル−１−ペンテン等が挙げられる。
【００８０】
ジオレフィン系単量体としては、ブタジエン、イソプレン、クロロプレン等が挙げられる。
【００８１】
《架橋性単量体》
樹脂粒子の特性を改良するために架橋性単量体を添加しても良い。架橋性単量体としては、例えば、ジビニルベンゼン、ジビニルナフタレン、ジビニルエーテル、ジエチレングリコールメタクリレート、エチレングリコールジメタクリレート、ポリエチレングリコールジメタクリレート、フタル酸ジアリル等の不飽和結合を２個以上有するものが挙げられる。
【００８２】
《酸性極性基を有する単量体》
酸性極性基を有する単量体としては、（ａ）カルボキシル基（−ＣＯＯＨ）を有するα，β−エチレン性不飽和化合物及び（ｂ）スルホン基（−ＳＯ3Ｈ）を有するα，β−エチレン性不飽和化合物を挙げることが出来る。
【００８３】
（ａ）の−ＣＯＯ基を有するα，β−エチレン性不飽和化合物の例としては、アクリル酸、メタアクリル酸、フマール酸、マレイン酸、イタコン酸、ケイ皮酸、マレイン酸モノブチルエステル、マレイン酸モノオクチルエステル、およびこれらのＮａ、Ｚｎ等の金属塩類等を挙げることが出来る。
【００８４】
（ｂ）の−ＳＯ3Ｈ基を有するα，β−エチレン性不飽和化合物の例としてはスルホン化スチレン、そのＮａ塩、アリルスルホコハク酸、アリルスルホコハク酸オクチル、そのＮａ塩等を挙げることが出来る。
【００８５】
《塩基性極性基を有する単量体》
塩基性極性基を有する単量体としては、（１）アミン基或いは４級アンモニウム基を有する炭素原子数１〜１２、好ましくは２〜８、特に好ましくは２の脂肪族アルコールの（メタ）アクリル酸エステル、（２）（メタ）アクリル酸アミド或いは随意Ｎ上で炭素原子数１〜１８のアルキル基でモノ又はジ置換された（メタ）アクリル酸アミド、（３）Ｎを環員として有する複素環基で置換されたビニール化合物及び（４）Ｎ，Ｎ−ジアリル−アルキルアミン或いはその四級アンモニウム塩を例示することが出来る。中でも、（１）のアミン基或いは四級アンモニウム基を有する脂肪族アルコールの（メタ）アクリル酸エステルが塩基性極性基を有する単量体として好ましい。
【００８６】
（１）のアミン基或いは四級アンモニウム基を有する脂肪族アルコールの（メタ）アクリル酸エステルの例としては、ジメチルアミノエチルアクリレート、ジメチルアミノエチルメタクリレート、ジエチルアミノエチルアクリレート、ジエチルアミノエチルメタクリレート、上記４化合物の四級アンモニウム塩、３−ジメチルアミノフェニルアクリレート、２−ヒドロキシ−３−メタクリルオキシプロピルトリメチルアンモニウム塩等を挙げることが出来る。
【００８７】
（２）の（メタ）アクリル酸アミド或いはＮ上で随意モノ又はジアルキル置換された（メタ）アクリル酸アミドとしては、アクリルアミド、Ｎ−ブチルアクリルアミド、Ｎ，Ｎ−ジブチルアクリルアミド、ピペリジルアクリルアミド、メタクリルアミド、Ｎ−ブチルメタクリルアミド、Ｎ，Ｎ−ジメチルアクリルアミド、Ｎ−オクタデシルアクリルアミド等を挙げることが出来る。
【００８８】
（３）のＮを環員として有する複素環基で置換されたビニル化合物としては、ビニルピリジン、ビニルピロリドン、ビニル−Ｎ−メチルピリジニウムクロリド、ビニル−Ｎ−エチルピリジニウムクロリド等を挙げることが出来る。
【００８９】
（４）のＮ，Ｎ−ジアリル−アルキルアミンの例としては、Ｎ，Ｎ−ジアリルメチルアンモニウムクロリド、Ｎ，Ｎ−ジアリルエチルアンモニウムクロリド等を挙げることが出来る。
【００９０】
《重合開始剤》
本発明で用いられるラジカル重合開始剤は、水溶性であれば適宜使用が可能である。例えば、過硫酸塩（例えば、過硫酸カリウム、過硫酸アンモニウム等）、アゾ系化合物（例えば、４，４′−アゾビス４−シアノ吉草酸及びその塩、２，２′−アゾビス（２−アミジノプロパン）塩等）、パーオキシド化合物等が挙げられる。更に、上記ラジカル性重合開始剤は、必要に応じて還元剤と組み合わせレドックス系開始剤とする事が可能である。レドックス系開始剤を用いることにより、重合活性が上昇し、重合温度の低下が図れ、更に重合時間の短縮が達成出来好ましい。
【００９１】
重合温度は、重合開始剤の最低ラジカル生成温度以上であればどの温度を選択しても良いが例えば５０〜９０℃の範囲が用いられる。但し、常温開始の重合開始剤、例えば過酸化水素−還元剤（アスコルビン酸等）の組み合わせを用いる事で、室温又はそれ以上の温度で重合する事も可能である。
【００９２】
《連鎖移動剤》
分子量を調整することを目的として、公知の連鎖移動剤を用いることが出来る。連鎖移動剤としては、特に限定されるものではないが、例えば、オクチルメルカプタン、ドデシルメルカプタン、ｔｅｒｔ−ドデシルメルカプタン等のメルカプト基を有する化合物が用いられる。特に、メルカプト基を有する化合物は、加熱定着時の臭気を抑制し、分子量分布がシャープであるトナーが得られ、保存性、定着強度、耐オフセット性に優れるため好ましく用いられ、好ましいものとしては、例えば、チオグリコール酸エチル、チオグリコール酸プロピル、チオグリコール酸プロピル、チオグリコール酸ブチル、チオグリコール酸ｔ−ブチル、チオグリコール酸２−エチルヘキシル、チオグリコール酸オクチル、チオグリコール酸デシル、チオグリコール酸ドデシル、エチレングリコールのメルカプト基を有する化合物、ネオペンチルグリコールのメルカプト基を有する化合物、ペンタエリストールのメルカプト基を有する化合物を挙げることが出来る。このうち、トナー加熱定着時の臭気を抑制する観点で、ｎ−オクチル−３−メルカプトプロピオン酸エステルが、特に好ましい。
【００９３】
《界面活性剤》
前述の重合性単量体を使用して、特にミニエマルジョン重合を行うためには、界面活性剤を使用して水系媒体中に油滴分散を行うことが好ましい。この際に使用することの出来る界面活性剤としては、特に限定されるものでは無いが、下記のイオン性界面活性剤を好適な化合物の例として挙げることが出来る。
【００９４】
イオン性界面活性剤としては、例えば、スルホン酸塩（ドデシルベンゼンスルホン酸ナトリウム、アリールアルキルポリエーテルスルホン酸ナトリウム、３，３−ジスルホンジフェニル尿素−４，４−ジアゾ−ビス−アミノ−８−ナフトール−６−スルホン酸ナトリウム、オルト−カルボキシベンゼン−アゾ−ジメチルアニリン、２，２，５，５−テトラメチル−トリフェニルメタン−４，４−ジアゾ−ビス−β−ナフトール−６−スルホン酸ナトリウム等）、硫酸エステル塩（ドデシル硫酸ナトリウム、テトラデシル硫酸ナトリウム、ペンタデシル硫酸ナトリウム、オクチル硫酸ナトリウム等）、脂肪酸塩（オレイン酸ナトリウム、ラウリン酸ナトリウム、カプリン酸ナトリウム、カプリル酸ナトリウム、カプロン酸ナトリウム、ステアリン酸カリウム、オレイン酸カルシウム等）が挙げられる。
【００９５】
又、ノニオン性界面活性剤も使用することが出来る。具体的には、例えば、ポリエチレンオキサイド、ポリプロピレンオキサイド、ポリプロピレンオキサイドとポリエチレンオキサイドの組み合わせ、ポリエチレングリコールと高級脂肪酸とのエステル、アルキルフェノールポリエチレンオキサイド、高級脂肪酸とポリエチレングリコールのエステル、高級脂肪酸とポリプロピレンオキサイドのエステル、ソルビタンエステル等をあげることが出来る。これら界面活性剤は、主に乳化重合時の乳化剤として使用されるが、他の工程又は他の目的で使用してもよい。
【００９６】
樹脂粒子の分子量は、１００，０００〜１，０００，０００の領域にピークもしくは肩を有する高分子量成分と、１，０００から５０，０００未満の領域にピークもしくは肩を有する低分子量成分の両成分を少なくとも含有する樹脂が好ましい。さらに好ましくは、ピーク分子量で１５，０００〜１００，０００の部分にピーク又は肩を有する中間分子量体の樹脂を使用することが好ましい。
【００９７】
トナー或いは樹脂の分子量測定方法は、ＴＨＦ（テトラヒドロフラン）を溶媒としたＧＰＣ（ゲルパーミエーションクロマトグラフィー）による測定がよい。すなわち、測定試料０．５〜５ｍｇ、より具体的には１ｍｇに対してＴＨＦを１．０ｍＬ加え、室温にてマグネチックスターラー等を用いて撹拌を行い、充分に溶解させる。ついで、ポアサイズ０．４５〜０．５０μｍのメンブランフィルターで処理した後に、ＧＰＣへ注入する。ＧＰＣの測定条件は、４０℃にてカラムを安定化させ、ＴＨＦを毎分１．０ｍＬの流速で流し、１ｍｇ／ｍＬの濃度の試料を約１００μＬ注入して測定する。カラムは、市販のポリスチレンジェルカラムを組み合わせて使用することが好ましい。
【００９８】
例えば、昭和電工社製のＳｈｏｄｅｘ  ＧＰＣ  ＫＦ−８０１、８０２、８０３、８０４、８０５、８０６、８０７の組合せや、東ソー社製のＴＳＫｇｅｌＧ１０００Ｈ、Ｇ２０００Ｈ、Ｇ３０００Ｈ、Ｇ４０００Ｈ、Ｇ５０００Ｈ、Ｇ６０００Ｈ、Ｇ７０００Ｈ、ＴＳＫ  ｇｕａｒｄ  ｃｏｌｕｍｎの組合せ等を挙げることが出来る。又、検出器としては、屈折率検出器（ＩＲ検出器）、或いはＵＶ検出器を用いるとよい。試料の分子量測定では、試料の有する分子量分布を単分散のポリスチレン標準粒子を用いて作成した検量線を用いて算出する。検量線作成用のポリスチレンとしては１０点程度用いるとよい。
【００９９】
《塩析剤（凝集剤）》
本発明で用いられる塩析剤は、金属塩の中から選択されるものが好ましい。
【０１００】
金属塩としては、一価の金属、例えばナトリウム、カリウム、リチウム等のアルカリ金属の塩、二価の金属、例えばカルシウム、マグネシウム等のアルカリ土類金属の塩、マンガン、銅等の二価の金属塩、鉄、アルミニウム等の三価の金属塩等が挙げられる。
【０１０１】
これら金属塩の具体的な例を以下に示す。一価の金属の金属塩の具体例として、塩化ナトリウム、塩化カリウム、塩化リチウム、二価の金属の金属塩として塩化カルシウム、塩化亜鉛、硫酸銅、硫酸マグネシウム、硫酸マンガン等が挙げられる。三価の金属塩としては、塩化アルミニウム、塩化鉄等が挙げられる。これらは、目的に応じて適宜選択される。一般的には一価の金属塩より二価の金属塩のほうが臨界凝集濃度（凝析値或いは凝析点）が小さく、更に三価の金属塩の臨界凝集濃度は小さい。
【０１０２】
臨界凝集濃度とは、水性分散液中の分散物の安定性に関する指標であり、凝集剤を添加し、凝集が起こる点の濃度を示している。この臨界凝集濃度は、ラテックス自身及び分散剤により大きく変化する。例えば、岡村誠三他著  高分子化学１７，６０１（１９６０）等に記述されており、これらの記載に従えば、その値を知ることが出来る。又、別の方法として、目的とする粒子分散液に所望の塩を濃度を変えて添加し、その分散液のζ電位を測定し、ζ電位が変化し出す点の塩濃度を臨界凝集濃度とすることも可能である。
【０１０３】
本発明では、金属塩を用いて臨界凝集濃度以上の濃度になるように重合体微粒子分散液を処理する。この時、当然の事ながら、金属塩を直接加えるか、水溶液として加えるかは、その目的に応じて任意に選択される。水溶液として加える場合には、重合体粒子分散液の容量と金属塩水溶液の総容量に対し、添加した金属塩が重合体粒子の臨界凝集濃度以上になる必要がある。
【０１０４】
本発明における塩析剤たる金属塩の濃度は、臨界凝集濃度以上であれば良いが、好ましくは臨界凝集濃度の１．２倍以上、更に好ましくは１．５倍以上添加される。
【０１０５】
《着色剤》
本発明のトナーは、特に限定はなく公知の着色剤が広く用いられる。
【０１０６】
本発明に係るトナーを構成する着色剤としては、各種の無機顔料、有機顔料、染料を挙げることが出来る。無機顔料としては、従来公知のものを用いることが出来る。具体的な無機顔料を以下に例示する。
【０１０７】
黒色の顔料としては、例えば、ファーネスブラック、チャンネルブラック、アセチレンブラック、サーマルブラック、ランプブラック等のカーボンブラック、更にマグネタイト、フェライト等の磁性粉も用いられる。
【０１０８】
これらの無機顔料は所望に応じて単独又は複数を選択併用する事が可能である。又顔料の添加量は重合体に対して２〜２０質量％であり、好ましくは３〜１５質量％が選択される。
【０１０９】
磁性トナーとして使用する際には、前述のマグネタイトを添加することが出来る。この場合には所定の磁気特性を付与する観点から、トナー中に２０〜６０質量％添加することが好ましい。
【０１１０】
有機顔料及び染料としても従来公知のものを用いることが出来る。具体的な有機顔料及び染料を以下に例示する。
【０１１１】
マゼンタ又はレッド用の顔料としては、例えば、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等が挙げられる。
【０１１２】
オレンジ又はイエロー用の顔料としては、例えば、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー９３、Ｃ．Ｉ．ピグメントイエロー９４、Ｃ．Ｉ．ピグメントイエロー１３８、Ｃ．Ｉ．ピグメントイエロー１８０、Ｃ．Ｉ．ピグメントイエロー１８５、Ｃ．Ｉ．ピグメントイエロー１５５、Ｃ．Ｉ．ピグメントイエロー１５６等が挙げられる。
【０１１３】
グリーン又はシアン用の顔料としては、例えば、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０、Ｃ．Ｉ．ピグメントグリーン７等が挙げられる。
【０１１４】
又、染料としては、例えば、Ｃ．Ｉ．ソルベントレッド１、同４９、同５２、同５８、同６３、同１１１、同１２２、Ｃ．Ｉ．ソルベントイエロー１９、同４４、同７７、同７９、同８１、同８２、同９３、同９８、同１０３、同１０４、同１１２、同１６２、Ｃ．Ｉ．ソルベントブルー２５、同３６、同６０、同７０、同９３、同９５等を用いることが出来、又これらの混合物も用いることが出来る。
【０１１５】
これらの有機顔料及び染料は、所望に応じて、単独又は複数を選択併用することが可能である。又、顔料の添加量は、重合体に対して２〜２０質量％であり、好ましくは３〜１５質量％が選択される。
【０１１６】
本発明に係るトナーを構成する着色剤（着色剤粒子）は、表面改質されていてもよい。表面改質剤としては、従来公知のものを使用することが出来、具体的にはシランカップリング剤、チタンカップリング剤、アルミニウムカップリング剤等を好ましく用いることが出来る。
【０１１７】
シランカップリング剤としては、例えば、メチルトリメトキシシラン、フェニルトリメトキシシラン、メチルフェニルジメトキシシラン、ジフェニルジメトキシシラン等のアルコキシシラン、ヘキサメチルジシロキサン等のシロキサン、γ−クロロプロピルトリメトキシシラン、ビニルトリクロロシラン、ビニルトリメトキシシラン、ビニルトリエトキシシラン、γ−メタクリロキシプロピルトリメトキシシラン、γ−グリシドキシプロピルトリメトキシシラン、γ−メルカプトプロピルトリメトキシシラン、γ−アミノプロピルトリエトキシシラン、γ−ウレイドプロピルトリエトキシシラン等が挙げられる。チタンカップリング剤としては、例えば、味の素社製の「プレンアクト」と称する商品名で市販されているＴＴＳ、９Ｓ、３８Ｓ、４１Ｂ、４６Ｂ、５５、１３８Ｓ、２３８Ｓ等、日本曹達社製の市販品Ａ−１、Ｂ−１、ＴＯＴ、ＴＳＴ、ＴＡＡ、ＴＡＴ、ＴＬＡ、ＴＯＧ、ＴＢＳＴＡ、Ａ−１０、ＴＢＴ、Ｂ−２、Ｂ−４、Ｂ−７、Ｂ−１０、ＴＢＳＴＡ−４００、ＴＴＳ、ＴＯＡ−３０、ＴＳＤＭＡ、ＴＴＡＢ、ＴＴＯＰ等が挙げられる。アルミニウムカップリング剤としては、例えば、味の素社製の（プレンアクトＡＬ−Ｍ）等が挙げられる。
【０１１８】
これらの表面改質剤の添加量は、着色剤に対して０．０１〜２０質量％であることが好ましく、更に好ましくは０．１〜５質量％とされる。
【０１１９】
着色剤粒子の表面改質法としては、着色剤粒子の分散液中に表面改質剤を添加し、この系を加熱して反応させる方法を挙げることが出来る。
【０１２０】
表面改質された着色剤粒子は、濾過により採取され、同一の溶媒による洗浄処理と濾過処理が繰り返された後、乾燥処理される。
【０１２１】
《離型剤》
本発明のトナーは、離型剤を内包した樹脂粒子を水系媒体中に於いて融着させたトナーであることが好ましい。この様に樹脂粒子中に離型剤を内包させた樹脂粒子を着色剤粒子と水系媒体中で塩析／融着させることで、微細に離型剤が分散されたトナーを得ることが出来る。
【０１２２】
本発明のトナーでは、離型剤として、低分子量ポリプロピレン（数平均分子量１５００〜９０００）や低分子量ポリエチレン等が好ましく、特に好ましくは、下記式で表されるエステル系化合物である。
【０１２３】
Ｒ1−（ＯＣＯ−Ｒ2）ｎ
式中、ｎは１〜４の整数、好ましくは２〜４、さらに好ましくは３〜４、特に好ましくは４である。Ｒ1、Ｒ2は、各々置換基を有しても良い炭化水素基を示す。Ｒ1は、炭素数１〜４０、好ましくは１〜２０、さらに好ましくは２〜５がよい。Ｒ2は、炭素数１〜４０、好ましくは１６〜３０、さらに好ましくは１８〜２６がよい。
【０１２４】
次に代表的な化合物の例を以下に示す。
【０１２５】
【化１】
0003888201.tif 000003
【０１２６】
【化２】
0003888201.tif 000004
【０１２７】
上記化合物の添加量は、トナー全体に対し１〜３０質量％、好ましくは２〜２０質量％、さらに好ましくは３〜１５質量％である。
【０１２８】
本発明のトナーでは、ミニエマルジョン重合法により樹脂粒子中に上記離型剤を内包させ、着色粒子とともに塩析融着させて作製することが好ましい。
【０１２９】
〔２〕現像剤及び現像方法
本発明のトナーは、一成分現像剤でも二成分現像剤として用いてもよい。
【０１３０】
一成分現像剤として用いる場合は、非磁性一成分現像剤、或いはトナー中に０．１〜０．５μｍ程度の磁性粒子を含有させ磁性一成分現像剤としたものがあげられ、いずれも使用することが出来る。
【０１３１】
又、キャリアと混合して二成分現像剤として用いる場合は、キャリアの磁性粒子として、例えば、鉄、フェライト、マグネタイト等の金属、それらの金属とアルミニウム、鉛等の金属との合金等の従来から公知の材料を用いることが出来る。これらの磁性粒子の中ではフェライト粒子が好ましい。上記磁性粒子の体積平均粒径は１５〜１００μｍが好ましく、２５〜８０μｍがより好ましい。
【０１３２】
キャリアの体積平均粒径の測定は、代表的には湿式分散機を備えたレーザ回折式粒子分布測定装置「ヘロス（ＨＥＬＯＳ）」（シンパティック（ＳＹＭＰＡＴＥＣ）社製）により測定することが出来る。
【０１３３】
キャリアは、磁性粒子が更に樹脂により被覆されているもの、或いは樹脂中に磁性粒子を分散させたいわゆる樹脂分散型キャリアが好ましい。コーティング用の樹脂組成としては、特に限定は無いが、例えば、オレフィン系樹脂、スチレン系樹脂、スチレン−アクリル系樹脂、シリコーン系樹脂、エステル系樹脂或いはフッ素含有重合体系樹脂等が用いられる。又、樹脂分散型キャリアを構成するための樹脂としては、特に限定されず公知のものを使用することが出来、例えば、スチレン−アクリル系樹脂、ポリエステル樹脂、フッ素系樹脂、フェノール樹脂等を使用することが出来る。
【０１３４】
又、現像法は接触、非接触のどちらでも用いることができる。非接触の現像法を採用する場合には非接触での正規現像又は非接触での反転現像を行うことができる。そのときの直流現像電界は絶対値で１×１０3〜１×１０5Ｖ／ｃｍ、好ましくは５×１０3〜１×１０4Ｖ／ｃｍとされ、１０3Ｖ／ｃｍ未満だと現像が不足し、十分な画像濃度が得られず、１０5Ｖ／ｃｍを越えると画質が荒れ、かぶりが発生する。
【０１３５】
次に交流バイアスは０．５〜４ｋＶｐ−ｐ、好ましくは１〜３ｋＶｐ−ｐとされ、又周波数は０．１〜１０ｋＨｚ、好ましくは２〜８ｋＨｚとされる。
【０１３６】
前記交流バイアスが０．５ｋＶｐ−ｐ未満の場合、キャリアに付着したトナーが離脱せず、非接触現像が不十分となり、画像濃度が不足する。又交流バイアスが４ｋＶｐ−ｐを越えると現像剤中のキャリアが飛翔して感光体上にキャリア付着を生ずる。
【０１３７】
更に交流バイアスの周波数が０．１ｋＨｚ未満では矢張りキャリアからのトナーの脱離が不十分となり現像不足、画像濃度低下を招く。又交流バイアスの周波数が１０ｋＨｚを越えるとトナーが電界の変動に追随できず、矢張り現像不良となり、画像濃度が低下する。
【０１３８】
〔３〕画像形成方法及び画像形成装置
次に、本発明の画像形成方法に用いられる画像形成装置について説明する。
【０１３９】
図２は本発明の画像形成方法に用いられる画像形成装置の一例を示す断面構成図である。
【０１４０】
図中、３は像形成体である感光体ドラムであり、アルミニウム製のドラム基体の外周面に感光体層である有機光導電体（ＯＰＣ）を形成してなるもので矢印方向に所定の速度で回転する。
【０１４１】
図２において、図示しない原稿読み取り装置にて読み取った情報に基づき、半導体レーザ光源２１から露光光が発せられる。これをポリゴンミラー２２により、図２の紙面と垂直方向に振り分け、画像の歪みを補正するｆθレンズ１３を介して、感光体面上に照射され静電潜像を作る。像形成体である感光体ドラム３は、あらかじめ帯電器１５により一様帯電され、像露光のタイミングにあわせて時計方向に回転を開始している。
【０１４２】
感光体ドラム面上の静電潜像は、現像器１６により現像され、形成された現像像はタイミングを合わせて搬送されてきた転写紙１８に転写器１７の作用により転写される。さらに感光体ドラム３と転写紙１８は分離器（分離極）９により分離されるが、トナー像は転写紙１８に転写担持されて、定着器１０へと導かれ定着される。
【０１４３】
感光体面に残留した未転写のトナー等は、クリーニング器１１のクリーニングブレード７にて清掃され、帯電前露光（ＰＣＬ）１２にて残留電荷を除き、次の画像形成のため再び帯電器１５により、一様帯電される。
【０１４４】
トナーリサイクルシステム
本発明の画像形成方法において、トナーリサイクルを行ってもよい。例えば、クリーニング部で回収されたトナーを搬送コンベア或いは搬送スクリューによって補給用トナーホッパー、現像器或いは補給用トナーと中間室によって混合して現像器へ供給する方法等をあげることが出来る。好ましくは現像器へ直接戻す方式或いは中間室にて補給用トナーとリサイクルトナーを混合して供給する方式を挙げることが出来る。
【０１４５】
図３はトナーリサイクル装置の一例を示す部材斜視構成図である。
この方式は現像器へリサイクルトナーを直接戻す方式である。クリーニングブレード７で回収された未転写トナーはトナークリーニング器１１内の搬送スクリュウによってトナーリサイクルパイプ２４に集められ、更にこのリサイクルパイプの受け口２５から現像器１６に戻され、再び現像剤として使用される。
【０１４６】
図３は又、本発明に係る画像形成装置に着脱自在のプロセスカートリッジの斜視図でもある。この図３では斜視構造を判りやすくするため感光体ユニットと現像剤ユニットを分離した図面になっているが、これを全部一体化したユニットとして着脱自在に画像形成装置に搭載出来る。この場合、感光体ドラム、現像器、クリーニング器及びリサイクル部材が一体となりプロセスカートリッジを構成している。
【０１４７】
又、上記画像形成装置は、感光体ドラムと、帯電器、現像器、クリーニング器或いはリサイクル部材等の少なくとも一つを含むプロセスカートリッジを搭載する形態にすることも出来る。
【０１４８】
次に、転写材（転写紙）は代表的には普通紙であるが、現像後の未定着像を転写可能なものなら、特に限定されず、ＯＨＰ用のＰＥＴベース等も無論含まれる。
【０１４９】
近年、感光体ドラム上に静電潜像を形成し、この潜像を現像して可視画像を得る電子写真等の分野において、画質の改善、変換、編集等が容易で高品質の画像形成が可能なデジタル方式を採用した画像形成方法の研究開発が盛んになされている。
【０１５０】
この画像形成方法に採用されるコンピュータ又は複写原稿からのデジタル画像信号により光変調する走査光学系として、レーザ光学系に音響光学変調器を介在させ、当該音響光学変調器により光変調する装置、半導体レーザを用い、レーザ強度を直接変調する装置があり、これらの走査光学系から一様に帯電した感光体上にスポット露光してドット状の画像を形成する。
【０１５１】
前述の走査光学系から照射されるビームは、裾が左右に広がった正規分布状に近似した丸状や楕円状の輝度分布となり、例えばレーザビームの場合、通常、感光体上で主走査方向或いは副走査方向の一方或いは両者が２０〜１００μｍという極めて狭い丸状或いは楕円状である。
【０１５２】
〔４〕クリーニング手段とその他の構成
クリーニングは、前記した如く、弾性ゴムのクリーニングブレードを部材として用いたブレードクリーニング方式が好ましい。弾性ゴムとしては、ウレタンゴム、シリコーンゴム等を用いることが出来るが、ウレタンゴムが特に好ましい。
【０１５３】
尚、本発明をファクシミリのプリンターに使用する場合には、図２の像露光器１３は受信データをプリントするための露光を行うことになる。
【０１５４】
本発明に係わる画像形成装置は、複写機、レーザープリンター、ＬＥＤプリンター、液晶シャッター式プリンター等の電子写真装置一般に適用し得るものであるが、更には電子写真技術を応用したディスプレイ、記録、軽印刷、製版、ファクシミリ等の装置にも広く適用し得るものである。
【０１５５】
【実施例】
次に、本発明の実施の態様とその効果を示し、本発明を具体的に説明するが、無論、本発明はこれらの構成に限定されるわけではない。
【０１５６】
〔１〕着色粒子の製造例
（１）着色粒子１の製造例（乳化重合）
１．ラテックス（１ＨＭＬ）の作製
第一段重合（核粒子の調製  Ｍｗ＝１３８，０００／５Ｌスケール）
撹拌装置、温度センサー、冷却管、窒素導入装置を取り付けた５０００ｍｌのセパラブルフラスコに、アニオン系界面活性剤（１０１）
Ｃ10Ｈ21（ＯＣＨ2ＣＨ2）2ＯＳＯ3Ｎａ
４ｇをイオン交換水３０４０ｇに溶解させた界面活性剤溶液（水系媒体）を仕込み、窒素気流下２３０ｒｐｍの撹拌速度で撹拌しながら、内温を８０℃に昇温させた。
【０１５７】
この界面活性剤溶液に、重合開始剤（過硫酸カリウム：ＫＰＳ）１０ｇをイオン交換水４００ｇに溶解させた開始剤溶液を添加し、温度を７５℃とした後、スチレン５６０ｇ、ｎ−ブチルアクリレート２００ｇ、メタクリル酸４０ｇからなる単量体混合液を１時間かけて滴下し、この系を７５℃にて２時間にわたり加熱、撹拌することにより重合（第一段重合）を行い、ラテックスを調製した。これを「ラテックス（１Ｈ）」とする。
【０１５８】
第二段重合（中間層の形成  Ｍｗ＝８０，０００／５Ｌスケール）
撹拌装置を取り付けたフラスコ内において、スチレン９５ｇ、ｎ−ブチルアクリレート３６ｇ、メタクリル酸９ｇ、ｎ−オクチル−３−メルカプトプロピオン酸エステル０．５９ｇからなる単量体混合液に、結晶性物質として、前記式１９）で表される化合物（以下、「例示化合物（１９）」という。）７７ｇを添加し、９０℃に加温し溶解させて単量体溶液を調製した。
【０１５９】
一方、アニオン系界面活性剤（１０１）１ｇをイオン交換水１５６０ｍｌに溶解させた界面活性剤溶液を９８℃に加熱し、この界面活性剤溶液に、核粒子の分散液である前記ラテックス（１Ｈ）を固形分換算で２８ｇ添加した後、循環経路を有する機械式分散機「クレアミックス（ＣＬＥＡＲＭＩＸ）」（エム−テクニック社製）により、前記例示化合物（１９）の単量体溶液を８時間混合分散させ、分散粒子径（２８４ｎｍ）を有する乳化粒子（油滴）を含む分散液（乳化液）を調製した。
【０１６０】
次いで、この分散液（乳化液）に、重合開始剤（ＫＰＳ）５ｇをイオン交換水２００ｍｌに溶解させた開始剤溶液を添加し、この系を９８℃にて１２時間にわたり加熱撹拌することにより重合（第二段重合）を行い、ラテックスを得た。これを「ラテックス（１ＨＭ）」とする。
【０１６１】
第三段重合（外層の形成  Ｍｗ＝１７０，０００／５Ｌスケール）
上記の様にして得られたラテックス（１ＨＭ）に、重合開始剤（ＫＰＳ）６．８ｇをイオン交換水２６５ｍｌに溶解させた開始剤溶液を添加し、８０℃の温度条件下に、スチレン２４９ｇ、ｎ−ブチルアクリレート８８．２ｇ、メタクリル酸１９．４ｇ、ｎ−オクチル−３−メルカプトプロピオン酸エステル７．４５ｇからなる単量体混合液を１時間かけて滴下した。滴下終了後、２時間にわたり加熱撹拌することにより重合（第三段重合）を行った後、２８℃まで冷却しラテックスを得た。このラテックスを「ラテックス（１ＨＭＬ）」とする。
【０１６２】
このラテックス（１ＨＭＬ）を構成する複合樹脂粒子は、１３８，０００、８０，０００および１７，０００にピーク分子量を有するものであり、また、この複合樹脂粒子の重量平均粒径は１２２ｎｍであった。
【０１６３】
２．ラテックス（２Ｌ）の作製（シェル剤の作製  Ｍｗ＝１１０，０００／５Ｌスケール）
撹拌装置を取り付けたフラスコ内に、重合開始剤（ＫＰＳ）１４．８ｇをイオン交換水４００ｍｌに溶解させた開始剤溶液を仕込み、８０℃の温度条件下に、スチレン６００ｇ、ｎ−ブチルアクリレート１９０ｇ、メタクリル酸３０．０ｇ、ｎ−オクチル−３−メルカプトプロピオン酸エステル２０．８ｇからなる単量体混合液を１時間かけて滴下した。滴下終了後、２時間にわたり加熱撹拌することにより重合を行った後、２７℃まで冷却しラテックス（低分子量樹脂からなる樹脂粒子の分散液）を得た。このラテックスを「ラテックス（２Ｌ）」とする。
【０１６４】
このラテックス（２Ｌ）を構成する樹脂粒子は１１，０００にピーク分子量を有するものであり、また、この樹脂粒子の重量平均粒径は１２０ｎｍであった。
【０１６５】
３．着色剤の分散
アニオン性界面活性剤（１０１）９０ｇをイオン交換水１６００ｍｌに撹拌溶解した。この溶液を撹拌しながら、カーボンブラック（リーガル３３０Ｒ：キャボット社製）４００．０ｇを徐々に添加し、次いで、撹拌装置「クレアミックス」（エム−テクニック社製）を用いて分散処理することにより、着色剤粒子の分散液（以下、「着色剤分散液１」という。）を調製した。この着色剤分散液１における着色剤粒子の粒子径を、電気泳動光散乱光度計「ＥＬＳ−８００」（大塚電子社製）を用いて測定したところ、１１０ｎｍであった。
【０１６６】
４．会合（凝集・融着）
ラテックス（１ＨＭＬ）４２０．７ｇ（固形分換算）と、イオン交換水９００ｇと「着色剤分散液１」２００ｇとを、温度センサー、冷却管、窒素導入装置、撹拌装置を取り付けた反応容器（四つ口フラスコ）に入れ撹拌した。容器内の温度を３０℃に調整した後、この溶液に５モル／Ｌの水酸化ナトリウム水溶液を加えてｐＨを１１．０に調整した。
【０１６７】
次いで、塩化マグネシウム・６水和物１０ｇをイオン交換水１０００ｍｌに溶解した水溶液を、撹拌下、３０℃にて１０分間かけて添加した。３分間放置した後に昇温を開始し、この系を６０分間かけて９０℃まで昇温した。その状態で、「コールターカウンターＴＡ−II」にて会合粒子の粒径を測定し、得たい個数平均粒径になった時点で、塩化ナトリウム４０．２ｇをイオン交換水１０００ｍｌに溶解した水溶液を添加して粒子成長を停止させ、さらに、熟成処理として液温度９８℃にて６時間にわたり加熱撹拌することにより融着を継続させた。
【０１６８】
５．シェリング及び微粉生成プロセス
更に、ラテックス（２Ｌ）（樹脂粒子の分散液）１２０ｇを添加し、２時間にわたり加熱撹拌を継続し、ラテックス（１ＨＭＬ）の凝集粒子表面にラテックス（２Ｌ）の一部を融着させ、かつ、ラテックス（２Ｌ）の粒子が分散液中にも存在している状態にした。ここで、塩化ナトリウム４０．２ｇを加え、８℃／分の条件で３０℃まで冷却し、塩酸を添加してｐＨを２．０に調整し、撹拌を停止した。生成した塩析、凝集、融着粒子を濾過し、４５℃のイオン交換水で繰り返し洗浄し、その後、４０℃の温風で乾燥することにより、着色粒子１を得た。
【０１６９】
（２）着色粒子２の製造例
着色粒子１の製造例において、第一段重合を下記の処方に変更し、ラテックス（１Ｈ）の分子量を、１４，０００に変更する他は同様にして、着色粒子２を得た。
【０１７０】
撹拌装置、温度センサー、冷却管、窒素導入装置を取り付けた５０００ｍｌのセパラブルフラスコに、アニオン系界面活性剤（１０１）４ｇをイオン交換水３０４０ｇに溶解させた界面活性剤溶液（水系媒体）を仕込み、窒素気流下２３０ｒｐｍの撹拌速度で撹拌しながら、内温を８０℃に昇温させた。
【０１７１】
この界面活性剤溶液に、重合開始剤（過硫酸カリウム：ＫＰＳ）１０ｇをイオン交換水４００ｇに溶解させた開始剤溶液を添加し、温度を７５℃とした後、スチレン５２８ｇ、ｎ−ブチルアクリレート２０４ｇ、メタクリル酸６８ｇ、ｎ−オクチル−３−メルカプトプロピオン酸エステル２４．４ｇからなる単量体混合液を１時間かけて滴下し、この系を７５℃にて２時間にわたり加熱、撹拌することにより重合（第一段重合）を行い、ラテックスを調製した。
【０１７２】
（３）着色粒子３の製造例
着色粒子１の製造例において、会合工程の塩化マグネシウム・６水和物をポリ水酸化アルミニウム１．５ｇに変更する他は同様にして、着色粒子３を得た。
【０１７３】
（４）着色粒子４の製造例
着色粒子２の製造例において、シェリング工程の加熱撹拌時間を１．５時間に変更した他は同様にして、着色粒子４を得た。
【０１７４】
（５）着色粒子５の製造例
着色粒子４の製造例において、会合工程の塩化マグネシウム・６水和物量を１２ｇに変更する他は同様にして、着色粒子５を得た。
【０１７５】
（６）着色粒子６の製造例
着色粒子２の製造例において、シェリング後に液中分級することにより、粒子分布を任意に調整し、着色粒子６を得た。
【０１７６】
（７）着色粒子７の製造例
着色粒子２の製造例において、シェリング工程の加熱撹拌時間を１時間に変更した他は同様にして、着色粒子７を得た。
【０１７７】
（８）着色粒子８の製造例（懸濁重合）
スチレン１１２ｇ、ｎ−ブチルアクリレート４３ｇ、メタクリル酸９．９ｇ、カーボンブラック１５ｇ、２，２’−アゾビス（２，４−ジメチルバレロニトリル）５ｇ、をサンドスターラーにて混合分散し、重合性組成物を得た。これをリン酸カルシウム２質量％、ドデシルベンゼンスルホン酸ナトリウム０．０２質量％の水性コロイド液に１５質量％になる量だけ加え、ＴＫホモジェッター（特殊機化工業社製）を用いて、６μｍになるように分散させて懸濁液を得た。その後、この懸濁液を６０℃で２０時間加熱して重合させ、芯粒子の分散液を得た。次いでこれにベンゾイルパーオキシド１．０ｇを溶解したスチレン２０ｇ、メチルメタクリレート１５ｇの混合液を８０℃で３時間かけて滴下し、さらに１０時間反応を続けて重合を完了した。
【０１７８】
放冷後、塩酸で処理し、濾過、洗浄後、乾燥させて着色粒子を得た。
さらに、ラテックス（２Ｌ）を４５℃のイオン交換水で繰り返し洗浄し、その後、凍結乾燥したものを、上記着色粒子に対して質量比で１％添加混合させて、着色粒子８を得た。
【０１７９】
（９）着色粒子９の製造例（溶液分散懸濁法）
ポリエステル樹脂９０ｇ、カーボンブラック５ｇ、パラフィンワックス５ｇ、酢酸エチル４００ｇをボールミルで２４時間分散させることによりポリエステル樹脂が溶解したトナー材料の混合液５００ｇを得た。
【０１８０】
炭酸カルシウム１０ｇ、イオン交換水９０ｇを超音波分散機に導入し、撹拌して水系媒体を調製した。得られた水系媒体２００ｇをウルトラタラックス（ＩＫＡ社製）により１００００ｒｐｍで撹拌している中に、上記トナー材料の混合液１００ｇを投入し、その後２分間撹拌し、カルボキシメチルセルロースの２％水溶液３００ｇをスリーワンモーターにより撹拌しながら添加した。
【０１８１】
得られた増粘液を撹拌しつつ、２０℃で一定に保持し、ブロワーにより増粘液面上の気相を強制更新させながら、さらに１０Ｌ／分の割合で窒素ガスの吹き込みを５時間続けることによりトナー分散液を得た。得られたトナー分散液２００ｇに塩酸４０ｇを添加し、さらに吸引濾過によりイオン交換水を用いて、４回の洗浄を繰り返して、トナーケークを得た。
【０１８２】
脱水工程で得られたトナーケークを真空乾燥させる事により着色粒子を得た。さらに、ポリエステル樹脂を１１０℃に設定した２軸混練押出機で溶融混練した。得られた混練物を冷却し、「ハンマーミル」（ホソカワミクロン社製）で粗粉砕した後、機械式粉砕機「ターボミルＴ−４００型」（ターボ工業社製）を用いて微粉砕し、風力分級機で分級した際に生じる２μｍ以下の微粉を、上記着色粒子に対して質量比で１％添加させて、着色粒子９を得た。
【０１８３】
（１０）着色粒子１０の製造例
着色粒子２の製造例において、会合工程の融着加熱時間を変更する他は同様にして、着色粒子１０を得た。
【０１８４】
（１１）着色粒子１１の製造例
着色粒子２の製造例において、会合工程の融着加熱時間を変更する他は同様にして、着色粒子１１を得た。
【０１８５】
（１２）比較着色粒子１の製造例
着色粒子２の製造例において、シェリング後に１〜２μｍの粒子がなくなるまで液中分級することにより、比較着色粒子１を得た。
【０１８６】
（１３）比較着色粒子２の製造例
着色粒子２の製造例において、シェリング工程のラテックス（２Ｌ）の量を２００ｇに変更し、４０℃で撹拌した他は同様にして、比較着色粒子２を得た。
【０１８７】
（１４）比較着色粒子３の製造例
着色粒子１の製造例において、会合工程の塩化マグネシウム・６水和物量を１５ｇに変更する他は同様にして、比較着色粒子３を得た。
【０１８８】
（１５）比較着色粒子４の製造例
比較着色粒子１の製造例において、メラミン樹脂微粒子：エポスターＳ１２、粒径１．０μｍ（日本触媒社製）５０ｇを、ドデシル硫酸ナトリウム１０ｇを溶解したイオン交換水１０００ｍｌに分散させたものを４００ｇ、シェリング工程後に添加した他は同様にして、比較着色粒子４を得た。
【０１８９】
（１６）比較着色粒子５の製造例（粉砕法）
ポリエステル樹脂                                          １００部
カーボンブラック                                            １０部
ポリプロピレンワックス（「６６０Ｐ」三洋化成社製）            ４部
上記材料を「ヘンシェルミキサー」（三井鉱山社製）で混合した後、１１０℃に設定した２軸混練押出機で溶融混練した。得られた混練物を冷却し、「ハンマーミル」（ホソカワミクロン社製）で粗粉砕した後、機械式粉砕機「ターボミルＴ−４００型」（ターボ工業社製）を用いて微粉砕し、風力分級機で分級し、比較着色粒子５を得た。
【０１９０】
〔２〕トナー及び現像剤
ついで上記、着色粒子１〜１１、比較着色粒子１〜５にそれぞれ疎水性シリカ（数平均一次粒子径＝１２ｎｍ、疎水化度＝６８）を１質量％及び疎水性酸化チタン（数平均一次粒子径＝２０ｎｍ、疎水化度＝６３）を添加し、ヘンシェルミキサーにより混合してトナーを得た。これらをトナー１〜１１、比較トナー１〜５とする。
【０１９１】
上記トナー１〜１１、比較トナー１〜５に対してシリコーン樹脂を被覆した体積平均粒径６０μｍのフェライトキャリアを混合し、トナー濃度が６質量％の現像剤を調製した。これらを現像剤１〜１１、比較現像剤１〜５とし、それに対応する実施例を実施例１〜１１、また、比較例を比較例１〜５とする。
【０１９２】
【表１】
0003888201.tif 000005
【０１９３】
〔３〕実写評価
市販のデジタル複写機（コニカ社製）Ｋｏｎｉｃａ  Ｓｔｉｏｓ７０７５を評価機として使用した。
【０１９４】
（１）評価および測定方法
１．転写率
高温高湿環境（３３℃、８０％ＲＨ）にて連続印字を行い、感光体上に６０ｍｇ／ｃｍ2の画像を形成し、転写材である紙に転写された単位面積あたりのトナー量（％）を測定した。
【０１９５】
◎：転写率９０％以上
○：転写率８０％以上、９０％未満
×：転写率８０％未満
２．クリーニング不良
高温高湿環境下（３３℃、８０％ＲＨ）において、画像を連続して５０００枚印字した後、電源をオフにして７２時間放置後に再度印字し、形成画像の状態を観察した。ベタ黒画像上に存在する白点の有無（直径０．３ｍｍ以上のもの）により、クリーニング不良を評価した。
【０１９６】
◎  ：０個
○  ：１〜４個
×  ：５個以上
尚、何れの特性も「○」以上が実用可能レベルである。
【０１９７】
【表２】
0003888201.tif 000006
【０１９８】
表２より明らかな如く、本発明内の実施例１〜１１は何れの特性も実用可能な範囲にあるが、本発明外の比較例１〜５は何れの特性も問題があることがわかる。
【０１９９】
【発明の効果】
本発明により、小粒径トナーを用いて高画質画像を得、かつ、トナーの転写率が高く、クリーニング不良を起こさない静電潜像現像用トナーとその製造方法及び画像形成方法を提供することができる。
【図面の簡単な説明】
【図１】本発明のトナーの粒子分布模式図。
【図２】画像形成装置の一例を示す断面構成図。
【図３】トナーリサイクル装置の一例を示す部材斜視構成図。
【符号の説明】
３  感光体ドラム
７  クリーニングブレード
９  分離器（分離極）
１０  定着器
１１  クリーニング器
１２  帯電前露光（ＰＣＬ）
１３  ｆθレンズ
１５  帯電器
１６  現像器
１７  転写器
１８  転写材（転写紙）
２１  半導体レーザ光源
２２  ポリゴンミラー
【図１】
0003888201.tif 000007
【図２】
0003888201.tif 000008
【図３】
0003888201.tif 000009